(57)【要約】  【課題】排水管内の油性の付着物を効率的に除去するための排水管内清掃装置及び排水管内清掃方法を提供しようとする。  【解決手段】水を貯留するタンクと、タンク内に貯留された水に少なくとも一部が浸漬される位置に設置されて、アルカリ性金属化合物を含有する粒体を収納し水が通過可能なサイズの孔または隙間を壁に有する収納容器と、タンク内に貯留された水を攪拌する攪拌手段と、気流管と、気流管に圧空を導入し出側開口に向けた気流を作る気流発生手段と、気流管内に水を導き、気流により生じた負圧で水を吸引させて気流に随伴させる導水手段と、気流に随伴して移動する水を気流とともに排水管内に導く水案内手段とを備える排水管内清掃装置でありこの排水管内清掃装置を用いた排水管内清掃方法である。  【選択図】  図１
2008127852.tif 000002
【特許請求の範囲】
【請求項１】
水を貯留するタンクと、
該タンク内の、該タンク内に貯留された該水に少なくとも一部が浸漬される位置に設置されて、アルカリ性金属化合物を含有する粒体を収納し、水が通過可能なサイズの孔または隙間を壁に有する収納容器と、
該タンク内に貯留された該水を攪拌する攪拌手段と、
気流管と、
該気流管の入り側開口から該気流管に圧空を導入し出側開口に向けた気流を作る気流発生手段と、
該気流管内に攪拌された前記水を導き、前記気流により生じた負圧で該水を吸引させて該気流に随伴させる導水手段と、
該気流に随伴して移動する該水を該気流とともに排水管内に導く水案内手段と
を備える排水管内清掃装置。
【請求項２】
前記導水手段が、前記気流管の内壁または内部に一の開口端を有して前記気流管の長手方向中間部から分岐した導管と、該導管を介して前記攪拌された水を該気流管内に導く送水ポンプとを備える請求項１に記載の排水管内清掃装置。
【請求項３】
請求項１または２に記載の排水管内清掃装置を準備するステップ、
前記タンクに水を貯留するステップ、
前記収納容器に貝殻粉を収納するステップ、
前記攪拌手段により、貯留された該水を攪拌するステップ、
前記気流発生手段により前記気流管に圧空を導入し出側開口に向けた気流を作るステップ、
攪拌された前記水を前記導水手段により前記気流管内に導くステップ、
前記気流に随伴して移動する該水を前記水案内手段により該気流とともに排水管内に導くステップ
を含む排水管内清掃方法。
【請求項４】
前記貝殻粉がホタテ貝殻粉を含む請求項３に記載の排水管内清掃方法。
【請求項５】
前記貝殻粉の平均粒経が１〜６ｍｍである請求項３または４に記載の排水管内清掃方法。
【請求項６】
水を貯留するタンクと、
気流管と、
該気流管の入り側開口から該気流管に圧空を導入し出側開口に向けた気流を作る気流発生手段と、
該気流管内に攪拌された前記水を導き、前記気流により生じた負圧で該水を吸引させて該気流に随伴させる導水手段と、
該気流に随伴して移動する該水を該気流とともに排水管内に導く水案内手段と
を備える排水管内清掃装置を準備するステップ、
前記タンク内に、アルカリ性金属化合物を溶解させたＰＨ８〜１０の水を貯留するステップ、
前記気流発生手段により前記気流管に圧空を導入し出側開口に向けた気流を作るステップ、
攪拌された前記水を前記導水手段により前記気流管内に導くステップ、
前記気流に随伴して移動する該水を前記水案内手段により該気流とともに排水管内に導くステップ
を含む排水管内清掃方法。
【請求項７】
前記アルカリ性金属化合物が炭酸カルシウムを含む請求項６に記載の排水管内清掃方法。
【請求項８】
前記炭酸カルシウムがホタテ貝殻から溶出したものである請求項７に記載の排水管内清掃方法。
【請求項９】
前記アルカリ性金属化合物が粘土から溶出したものである請求項６に記載の排水管内清掃方法。
【発明の詳細な説明】
【技術分野】
【０００１】
本発明は、排水管内の油性の付着物を効率的に除去するための排水管内清掃装置及び排水管内清掃方法に関する。
【背景技術】
【０００２】
家庭の台所や業務用厨房の排水管の管壁には油性の沈着物が排水管を塞ぐ程度にまで付着し、その除去がおおきな問題となっている。
従来、排水管の洗浄剤として特殊な薬品をふりかけるものなどが開示されている（例えば、特許文献１参照）が、排水管の汚れによる悪臭の解消には有効であるものの、排水管を塞ぐ程度にまで成長した油性の沈着物の効率的な除去という目的に対しては効果が不十分である。
【０００３】
また、縦型の排水管に水平な枝管を設け、ホースの先端に付けたノズルをその枝管を経由して排水管まで到達させて水道水の圧力で排水管を洗浄する態様が開示されている（例えば、特許文献２参照）が、この方法でも、排水管を塞ぐ程度にまで成長した油性の沈着物の効率的な除去という目的に対しては効果が不十分である。また、この方法は不使用時のホースの収納スペースの確保など排水管周りの大幅ま改修を要するので、既存の施設への適用がむつかしい。
【特許文献１】特開平１１−６１１８８号公報
【特許文献２】特開２００５−２９９５２号公報
【発明の開示】
【発明が解決しようとする課題】
【０００４】
本発明の目的は、排水管内の油性の付着物を効率的に除去するための排水管内清掃装置及び排水管内清掃方法を提供しようとすることである。
【課題を解決するための手段】
【０００５】
本発明の要旨とするところは、
水を貯留するタンクと、
該タンク内の、該タンク内に貯留された該水に少なくとも一部が浸漬される位置に設置されて、アルカリ性金属化合物を含有する粒体を収納し、水が通過可能なサイズの孔または隙間を壁に有する収納容器と、
該タンク内に貯留された該水を攪拌する攪拌手段と、
気流管と、
該気流管の入り側開口から該気流管に圧空を導入し出側開口に向けた気流を作る気流発生手段と、
該気流管内に攪拌された前記水を導き、前記気流により生じた負圧で該水を吸引させて該気流に随伴させる導水手段と、
該気流に随伴して移動する該水を該気流とともに排水管内に導く水案内手段と
を備える排水管内清掃装置であることにある。
【０００６】
前記導水手段は、前記気流管の内壁または内部に一の開口端を有して前記気流管の長手方向中間部から分岐した導管と、該導管を介して前記攪拌された水を該気流管内に導く送水ポンプとを備え得る。
【０００７】
また、本発明の要旨とするところは、
前記排水管内清掃装置を準備するステップ、
前記タンクに水を貯留するステップ、
前記収納容器に貝殻粉を収納するステップ、
前記攪拌手段により、貯留された該水を攪拌するステップ、
前記気流発生手段により前記気流管に圧空を導入し出側開口に向けた気流を作るステップ、
攪拌された前記水を前記導水手段により前記気流管内に導くステップ、
前記気流に随伴して移動する該水を前記水案内手段により該気流とともに排水管内に導くステップ
を含む排水管内清掃方法であることにある。
【０００８】
前記貝殻粉はホタテ貝殻粉を含み得る。
【０００９】
前記貝殻粉の平均粒経は１〜６ｍｍであり得る。
【００１０】
さらに、本発明の要旨とするところは、
水を貯留するタンクと、
気流管と、
該気流管の入り側開口から該気流管に圧空を導入し出側開口に向けた気流を作る気流発生手段と、
該気流管内に攪拌された前記水を導き、前記気流により生じた負圧で該水を吸引させて該気流に随伴させる導水手段と、
該気流に随伴して移動する該水を該気流とともに排水管内に導く水案内手段と
を備える排水管内清掃装置を準備するステップ、
前記タンク内に、アルカリ性金属化合物を溶解させたＰＨ８〜１０の水を貯留するステップ、
前記気流発生手段により前記気流管に圧空を導入し出側開口に向けた気流を作るステップ、
攪拌された前記水を前記導水手段により前記気流管内に導くステップ、
前記気流に随伴して移動する該水を前記水案内手段により該気流とともに排水管内に導くステップ
を含む排水管内清掃方法であることにある。
【００１１】
前記排水管内清掃方法においては、前記アルカリ性金属化合物が炭酸カルシウムを含み得る。
【００１２】
前記炭酸カルシウムはホタテ貝殻から溶出したものであり得る。
【００１３】
前記排水管内清掃方法においては、前記アルカリ性金属化合物が粘土から溶出したものであり得る。
【発明の効果】
【００１４】
本発明によると、排水管を塞ぐ程度にまで成長した油性の沈着物を効率的にかつ簡易な操作により除去できる。
【発明を実施するための最良の形態】
【００１５】
本発明の排水管内清掃装置を説明する。なお、本明細書においては、各図にわたって記される同じ符号は同一又は同様の部材やものを示す。図１に示すように、本発明の排水管内清掃装置２は、水を貯留するタンク４と、タンク４内に貯留された水５を攪拌する攪拌手段６とを備える。また、排水管内清掃装置２は、気流管４４を備える。気流管４４には入り側開口５７から圧空が圧空供給源５０から圧空導管５３を介して導入され出側開口に向けて高速の気流が作られる。圧空供給源５０と、圧空導管５３とで気流発生手段１１２が構成される。
【００１６】
タンク４内には、アルカリ性金属化合物を含有する粒体を収納する収納容器１０が設置される。収納容器１０は、タンク４内に、タンク４内に貯留された水５に少なくとも一部が浸漬される位置に設置される。収納容器１０はタンク４内に着脱自在に設置されることが、排水管内清掃装置２の使用操作を容易にするうえで好ましい。例えば、懸け紐１２を上部に備え、タンク４内に設けられたフック１３に懸け紐１２を懸けることにより、タンク４内に設置される。
【００１７】
収納容器１０は壁に水が通過可能なサイズの孔または隙間を有する。収納容器１０は網状の袋からなるものであってもよい。この場合は網の目を粒体が容器の外側に漏出しない程度の目開きのものとする。は収納容器１０は金網状の籠からなるものであってもよい。収納容器１０の一部分が網あるいは金網であってもよい。さらには、容器の壁に穿孔されたものやスリット状の隙間が形成されたものであってもよい。収納容器１０は懸け紐１２によらずとも他の公知の係合手段によりタンク４内の所定の位置に係合されてもよい。
【００１８】
また、タンク４の内底部には空気を導通させるエアパイプ１４が設置されている。エアパイプ１４は一部が欠落した円環状（Ｃ字状）に曲げられており、円環部の外径がタンク４の内径よりやや小さくされて、エアパイプ１４の長手方向がタンク４の内周面に沿って周方向に略一巡する。
【００１９】
エアパイプ１４の一端１５及び他端１７はそれぞれ連結パイプ１６、連結パイプ１８と接続し、連結パイプ１６、連結パイプ１８はそれぞれ第一のケーシング２０の上段部に収められたエアポンプ２２に接続している。エアポンプ２２は例えば電磁式のエアポンプであり、エアパイプ１４の内部に連結パイプ１６、連結パイプ１８をそれぞれ介して空気を送り込む。
【００２０】
第一のケーシング２０の上段部には不図示の安全ブレーカ形漏電遮断器やエアポンプ２２や送水ポンプ３２の駆動用の不図示のメイン電源プラグなども内蔵される。第一のケーシング２０の下段部９３には不図示の工具、エアポンプ２２や送水ポンプ３２の駆動電源引き込み用の不図示の電線コードなどが収納される。また第一のケーシング２０の外側面には、エアポンプ２２や送水ポンプ３２の駆動用の、不図示の手元スイッチケーブル用掛けフックや、不図示の手元スイッチ掛けホルダーが取りつけられる。
【００２１】
エアパイプ１４の管壁には、図２に示すように、エアパイプ１４の管壁に上方に向けて貫通孔２６が形成されている。貫通孔２６はタンク４の内部に設置された状態の収納容器１０の下側の位置に配される。また、図２、図３に示すように、タンク４の内底２３に向け、斜め下方向かつ円環部のうちがわに向けて貫通孔２４が形成されている。複数の貫通孔２４が円環の周方向に間隔をおいて配されている。
【００２２】
貫通孔２４、貫通孔２６からはエアポンプ２２から供給される空気が水中に向けて放出され、空気は気泡となって上昇する。これにより、タンク４に貯留されている水５が攪拌される。すなわち、エアポンプ２２、連結パイプ１６、連結パイプ１８とエアパイプ１４とで攪拌手段６が構成される。
【００２３】
攪拌手段６は、空気によるもののほかに、攪拌翼あるいはスタラー等によるものであってもよい。
【００２４】
さらに、タンク４の内底２３の導通孔２８が管路（第一の導水管）３０を介して送水ポンプ３２の入り側３３に連結している。送水ポンプ３２は第二のケーシング６０に収められている。送水ポンプ３２の出側３５が第二の導水管３８を介してＴ字管４０に連結している。Ｔ字管４０が、気流管４４と、気流管４４の長手方向中間の分岐部７７で気流管４４から分岐した導管４６とからなる。第二の導水管３８は、導管４６の末端に接続されている。
【００２５】
圧空導管５３の入り側端には圧空用コネクタ６９が設置され、圧空用コネクタ６９は第二のケーシング６０の壁に固定されている。また、圧空導管５３には圧空の流量を調節する空気流量調整弁１０６、流路を開閉する電磁弁１０４が備えられている。さらに、気流管４４の入り側端部には水が圧空導管５３へ進入することを防止する逆止弁１０２が設けられている。第二のケーシング６０の壁には不図示の手元スイッチ用プラグが設けられている。
【００２６】
なお、第二のケーシング６０の上部後辺部からは移動用取っ手アーム８１の一対の支柱部８０、８０が立設し、支柱部８０、８０は上端部に、すべり止め９６を備える取っ手８２が架け渡されている。支柱部８０、８０は排水管内清掃装置２の構造フレームを兼ね排水管内清掃装置２の下方にも延長されている。また、排水管内清掃装置２は、後方下部に一対の移動用車輪８３、８３を、前方下部にキャスター８４を備える。移動用車輪８３は軸受け用プレート８７を介して第二のケーシング６０に軸止されている。
【００２７】
また、タンク４は第二のケーシング６０の上面に設置された第三のケーシング９０に収められている。第三のケーシング９０は上部が開口し、その開口縁部に固定されたフック９２がタンク４の上縁に係合してタンク４が固定される。第三のケーシング９０は、支持用部材９４を介して支柱部８０に支えられている。支持用部材９４は、支柱部８０、８０に架け渡された渡し板９１に固定されている。
【００２８】
本発明の排水管内清掃装置２の操作及び作用を説明する。タンク４に水５を貯留し、収納容器１０にアルカリ性金属化合物を含有する粒体を収納する。アルカリ性金属化合物としては、ナトリウム、カリウムなどのアルカリ金属の酸化物、水酸化物、炭酸塩、カルシウム、マグネシウム、バリウムなどのアルカリ土類金属の酸化物、水酸化物、炭酸塩であり、具体例としては酸化ナトリウム、酸化カリウム、水酸化ナトリウム、水酸化カリウム、炭酸ナトリウム、炭酸カリウム、酸化カルシウム、酸化マグネシウム、酸化バリウム、水酸化カルシウム、水酸化マグネシウム、水酸化バリウム、炭酸カルシウム、炭酸マグネシウム、炭酸バリウムなどが挙げられる。
【００２９】
アルカリ性金属化合物を含有する粒体としては、これら化合物の粒体のほかに、これら化合物を含有する鉱物の粒体や、貝殻の粉末、粘土などが挙げられる。貝殻の粉末は貝殻を４００〜８００℃で焼いたのち砕いて得られたものであることが洗浄効果のうえで好ましい。
【００３０】
この粒体を収納した収納容器１０をタンク４の内部に設置し、水５に浸漬した状態とする。次いでエアポンプ２２を作動させるなどして、攪拌手段６により水５を攪拌すると、この粒体の粒子が水と攪拌され、アルカリ性金属化合物の水への溶解が促進し、水５がアルカリ性を呈する。
【００３１】
アルカリ性を呈した水５は送水ポンプ３２の作動により導通孔２８を経由して送水ポンプ３２の出側３５から送出され、導管４６を経由して気流管４４に達する。一方、コンプレッサ等の圧空供給源５０から、吐出管用コネクタ６６、圧空導管５３を介して一の端４９側から気流管４４に圧空が導入され、気流管内で高速気流となる。この気流により生じた負圧で水が吸引されて気流に随伴して気流管４４内を気流管４４の一の末端５１の方向に移動搬送され、水は気流とともに第三の導水管６２、吐出管用コネクタ６６、吐出ホース７４を経由して、吐出ホース７４の先端の、吐出ノズル等からなる管先１００から吐出される。圧空供給源５０から気流管４４に導入される空気の圧が大気圧基準で０．１ＭＰａ以上であることが洗浄効果のうえで好ましい。
【００３２】
送水ポンプ３０と、第一の導水管３０と、導管４６とで、気流管４４内に水を導き気流により生じた負圧でこの水を吸引させて気流に随伴させる導水手段１１４が構成される。Ｔ字管４０を用いた吐出手段により、吐出される水が圧空の作用で勢い良く推進され、かつ、空気に水が霧状に混合されて管先１００から吐出されるので、堆積物の壁面からの剥離を容易にする
【００３３】
管先１００を台所や業務用厨房の排水口の入り口付近に突っ込んでこの吐出された水を排水口の奥に向けて吐出させることにより、排水管の壁面に堆積している油性の堆積物を壁面から剥離させて下水へと流出させることができる。従って、管先１００は、排水口の入り口から奥深くまで挿入する必要がなく、洗浄操作が容易である。吐出ホース７４と管先１００とで水案内手段８が構成される。
【００３４】
吐出された水は金属イオンを含んでアルカリ性であり、油性の堆積物中の脂肪分がこの水により加水分解されて親水化し、かつ、界面活性剤として未反応の油脂分にも作用してこれを乳化させ、堆積物が壁面より容易に剥離される。あわせて吐出水の水勢と圧空の吹き付けがこの剥離を促進させる。とくに、堆積物と壁面との境界部分にこの加水分解されて親水化した水が浸透して界面活性剤として未反応の油脂分にも作用して、堆積物の壁面よりの剥離を容易にする。
【００３５】
アルカリ性金属化合物としては炭酸カルシウムを含むものが、貯留水のＰＨが安定し好ましい。さらに炭酸マグネシウムを含むことが好ましい。貯留水のＰＨは８〜１０の範囲内に保たれることが好ましい。アルカリ性金属化合物を含有する粒体としては貝殻の粉末が洗浄効果のうえで好ましい。なかでも、ホタテ貝殻の粉末が洗浄効果のうえで最も好ましい。さらに、ホタテ貝殻の粉末の使用により、排水管の脱臭や抗菌効果が得られる。ホタテ貝殻の粉末の粒径は１〜６ｍｍであることが好ましい。粒径が１ｍｍ未満であると貯留水のＰＨが１０を超える傾向にあり、充分な洗浄効果が得られない。また、収納容器１０から漏洩した粉末が排水管から排出され下水道の会所升に滞留し、会所升の清掃が容易でない。粒径が６ｍｍをこえると貯留水のＰＨが８を下回る傾向にあり、充分な洗浄効果が得られない。
【００３６】
貯留水のＰＨは９．４〜９．８であることが洗浄効果のうえで最も好ましい。貯留水のＰＨはタンクに投入するアルカリ性金属化合物やアルカリ性金属化合物を含有する粒体の量や種類を調節して調整することができる。例えば、タンク４の容量が２０リットルの場合、ホタテ貝殻の粉末が５００ｇ使用することが好ましい。
【００３７】
本発明の他の態様においては、アルカリ性金属化合物を含有する粒体やそれを収納する収納容器１０を用いずして、タンク４の貯留水としてＰＨが８〜１０のアルカリ性金属化合物の水溶液を予め準備して用いてもよい。このようなアルカリ性金属化合物の水溶液を用いる態様においては、攪拌手段６は必ずしも必要でない。
【００３８】
本発明においては、図４に示す排水管内清掃装置２ａのように、タンク４の内部が導通孔２８を介して導管４６に直結し、貯留水がポンプなしで気流管４４中の気流の負圧により導管４６から吸い上げられて気流管４４中の気流に合流する態様であってもよい。導管４６を通過する水量は導管４６に設けられた流量調整弁により調節される。
【００３９】
あるいは、図５に示す排水管内清掃装置２ｂのように、タンク４の内部が導通孔２８を介して先細の導管４６ｂに直結し、貯留水がポンプなしで気流管４４ｂ中の気流の負圧により導管４６から吸い上げられて気流管４４中の気流に合流する態様であってもよい。図６に示すように、導管４６ｂの細くされた先端部１１０が気流管４４の壁を貫通して気流管４４の長手方向中間部で気流管４４の中空部に達し、先端部１１６の開口が気流の下流方向に向けられている。この態様は水が霧１１１に安定して転化され好ましい。
【００４０】
その他、本発明は、主旨を逸脱しない範囲で当業者の知識に基づき種々なる改良、修正、変更を加えた態様で実施できるものである。
【図面の簡単な説明】
【００４１】
【図１】本発明の排水管内清掃装置の態様の一例を示す図であり、図１（ａ）は側面図、図１（ｂ）は平面図、図１（ｃ）はＡ方向に見た要部正面透視図である。
【図２】本発明の排水管内清掃装置に用いられるエアパイプのＢ−Ｂ方向の断面を示す断面図である。
【図３】本発明の排水管内清掃装置に用いられるエアパイプのＣ−Ｃ方向の断面を示す断面端面図である。
【図４】本発明の排水管内清掃装置の他の態様の一例を示す側面図である。
【図５】本発明の排水管内清掃装置のさらに他の態様の一例を示す側面図である。
【図６】図５に示す排水管内清掃装置における気流管と導管の配置を示す断面模式図である。
【符号の説明】
【００４２】
２、２ａ、２ｂ：排水管内清掃装置
５：水
４：タンク
６：攪拌手段
８：水案内手段
１０：収納容器
１４：エアパイプ
２０：第一のケーシング
２２：エアポンプ
２４、２６：貫通孔
３２：送水ポンプ
４０：Ｔ字管
４４、４４ｂ：気流管
４６、４６ｂ：導管
５０：圧空供給源
６０：第二のケーシング
６６：吐出管用コネクタ
８３：移動用車輪
８４：キャスター
９０：第三のケーシング
１１２：気流発生手段
１１４、１１４ａ、１１４ｂ：導水手段
【図１】
2008127852.tif 000003
【図２】
2008127852.tif 000004
【図３】
2008127852.tif 000005
【図４】
2008127852.tif 000006
【図５】
2008127852.tif 000007
【図６】
2008127852.tif 000008